(57)【要約】【課題】ＰＬＣを使用して、各無線システムへの干渉を低減し、電波環境を良好に保ち、かつ自端末の余計な電力消費を抑えることができる電波干渉回避のための無線通信システムおよび電子機器を提供する。【解決手段】ユーザがディジタルコードレスシステム１００を使用し通話を開始した場合、ディジタルコードレス親機１００ａは、自システムが通信開始または通信中であることをＰＬＣを使用し、他システムに通知する。通知を受けた無線ＬＡＮシステム１０１において、待機中であった場合は、無線ＬＡＮＮのアクセスポイントであるＷＬＡＮ１０１ａは、リンクが維持できる程度まで電波の出力レベルを抑える制御を行い、また通信中であった場合は、電波出力レベルを小さくする旨をラップトップＰＣ１０１ｂに伝え、近距離での通信をユーザに促すか、通信を中断し待機中とするか、または状況によらず、通信を完全にやめてしまう選択処理を行う。【選択図】図１
2007116258.tif 000002
【特許請求の範囲】
【請求項１】
電波を送受信するための無線通信部を有する複数個の電子機器を有する１つ以上からなるサブ無線通信システムと、周辺に電波を放射するのみの１つ以上の電子機器と、を備え、前記電波の周波数が近接しており、前記サブ無線通信システムが近隣に配置されている無線通信システムであって、
前記複数個の電子機器のうち、少なくとも１つの電子機器及び／又は前記電波を放射するのみの１つ以上の電子機器のうち、少なくとも１つの電子機器は、電力線を介して、通信するＰＬＣ通信部を備え、
該ＰＬＣ通信部を介して、他の前記少なくとも１つの電子機器に対して、電波出力制御を実行させるための情報を伝達し、該情報に基づいて、該電子機器が電波の出力レベルを下げる制御を行い、システム全体の電波干渉を軽減するようしたことを特徴とする無線通信システム。
【請求項２】
前記サブ無線通信システムに含まれる前記電子機器が電波の出力レベルを下げる制御を行うことにより、自システムの電波干渉を改善するとともに、前記電子機器の消費電力を少なくすることを特徴とする請求項１に記載の無線通信システム。
【請求項３】
電波を送受信するための無線通信部を有する複数個の電子機器を有する１つ以上からなるサブ無線通信システムと、周辺に電波を放射するのみの１つ以上の電子機器と、を備えた無線通信システムにおける電子機器であって、
有線通信回線と接続し通信を行う有線通信部と、
前記有線通信部及び自身の通信状況確認を行う制御部と、
電力線を介して、電波出力制御を実行させるための情報を送受信するＰＬＣ通信部と、を備え、
前記制御部は、自身の動作を開始する場合に、自身の通信状況の確認を行い、前記ＰＬＣ通信部に対して、前記情報を送信し、自身が動作中である場合に、他の前記電子機器から、前記ＰＬＣ通信部を介して前記情報を受信し、該情報に基づき、前記無線通信部に対して電波出力の制御または自身の動作停止を行うようにしたことを特徴とする電子機器。
【請求項４】
前記電子機器は、さらに、自身に関する電波出力制御のための情報を記憶するメモリー部と、
前記ＰＬＣ通信部を介して受信した前記情報と前記を比較する比較部と、を備え、
前記情報が、他の前記電子機器に対して、電波制御を実行させる際の優先順位を定める情報であった場合、前記比較部により、比較した結果、前記メモリーに記憶された電力出力制御のための前記情報が、前記受信した前記情報よりも順位が高い場合には、電波の出力の制御を実行せず、前記受信した情報よりも順位が低い場合には、電波の出力の制御を行うようにしたことを特徴とする請求項３に記載の電子機器。
【請求項５】
前記受信した前記情報よりも順位が低い場合に、電波の出力の制御を行う場合に、電波の出力レベルを下げることで、他システムへの干渉を軽減させることを特徴とする請求項４に記載の電子機器。
【請求項６】
前記受信した前記情報よりも順位が低い場合に、電波の出力の制御を行う場合に、通信中の通信を中断し、待機状態に移行させることで、他システムへの干渉を軽減させることを特徴とする請求項４に記載の電子機器。
【請求項７】
前記受信した前記情報よりも順位が低い場合には、電波の出力の制御を行う場合に、電波を発生を停止させることで、他システムへの干渉を軽減させることを特徴とする請求項４に記載の電子機器。
【請求項８】
前記ＰＬＣ通信部は、通信の開始又は運用の開始を行うときに、前記優先順位の情報を送信すること特徴とする請求項４から請求項７のいずれか１項に記載の電子機器。
【請求項９】
前記ＰＬＣ通信部は、前記優先順位を設定した時点で、該優先順位の情報を送信することを特徴とする請求項４から請求項７のいずれか１項に記載の電子機器。
【請求項１０】
前記電子機器は、さらに、ユーザインタフェース部を備え、
前記優先順位の情報を前記ユーザインタフェース部から入力し、前記メモリー部に記憶することを特徴とする請求項４から請求項９のいずれか１項に記載の電子機器。
【発明の詳細な説明】
【技術分野】
【０００１】
本発明は、ＰＬＣ通信による電波干渉回避を行う無線通信システム及び電子機器に関する。
【背景技術】
【０００２】
一般家庭やショールーム等において、現在、２．４ＧＨｚ帯は、無線ＬＡＮシステム、ディジタルコードレスシステム、Ｂｌｕｅｔｏｏｔｈといったさまざまな無線通信システムや、電子レンジなどの家電製品が発生する電波が混在しており、それぞれのシステム及び機器において、互いに電波の干渉の影響を受けている。
【０００３】
図５は、現状の２．４ＧＨｚ帯域を使用した機器が存在した場合の各システムへの電波の影響を示した図である。
【０００４】
一般家庭では、電子機器を設置する場所がさまざまであるため、すべての電子機器が影響しあう範囲に存在しているとはいえないが、図１では、最悪の電波環境を想定している。
【０００５】
図５に示す無線ＬＡＮアクセスポイント５００ａ及びラップトップコンピュータ５００ｂからなる無線ＬＡＮシステム５００、親機５０１ａ及び子機５０１ｂからなるディジタルコードレスシステム５０１、ＰＤＡ５０２ａ及びデスクトップＰＣ５０２ｂからなるＢｌｕｅｔｏｏｔｈシステム５０２、調理中に２．４ＧＨｚ帯に影響を及ぼす電子レンジ５０３が設置され、互いに電波の干渉する電波環境において、例えば、ユーザがディジタルコードレスシステム５０１を使用し通話を開始した場合、無線ＬＡＮシステム５００による干渉波、Ｂｌｕｅｔｏｏｔｈシステム５０２による干渉波、調理中の電子レンジ５０３より発生する干渉波により、自システムの電波環境が悪化し、通信が不安定となり、通話の音切れ、ノイズの発生及びリンク切れ等が生じる。
【０００６】
また、上記のような電波環境下において、例えば、Ｂｌｕｅｔｏｏｔｈシステム５０２と無線ＬＡＮシステム５００では、ＡＦＨ（Ａｄａｐｔｉｖｅ  Ｆｒｅｑｕｅｎｃｙ  Ｈｏｐｐｉｎｇ）や事前のキャリアセンスにより、使用する帯域を変更するなど、お互いに干渉波による影響を回避する対策等を行うこともあるが、この時、各無線システム親機の電波の出力レベルは一定であり、さらに親機の受信状況が悪い場合は、親機から子機に対して電波の出力レベルを上げるよう指示する。子機の電波の出力レベルが上がることにより、近傍の周波数帯を使用しているシステムが隣接している場合、各システム間で干渉を起こし、ローミングがスムーズにできないことが発生する。また、Ｂｌｕｅｔｏｏｔｈ通信のような各システムがランダムに同一周波数帯にて、周波数ホッピングを行うようなシステムが隣接している場合も同様に各システム間で干渉を起こし、通信が不安定となる。
【０００７】
そこで、一般的には、干渉波の影響を受けた無線端末は、通信中である場合、Ｓ／Ｎ（シグナル対ノイズ比）を大きくし、干渉波の影響を回避するため、自動的に電波の出力レベルを上げる動作を行う。
【特許文献１】特開２００３−０６０５３５号公報
【特許文献２】特開２０００−２６９９３５号公報
【発明の開示】
【発明が解決しようとする課題】
【０００８】
しかしながら、上記自動的に電波の出力レベルを上げる動作により、自端末の消費電力は増大し、他機器への干渉も大きくなる。これに対応して、他機器も、干渉による影響を逃れるため、電波の出力レベルを上げる。そのため、さらに電波環境は悪化するといった悪循環的な状態が発生するという問題がある。
【０００９】
また、それぞれの通信システム機器同士の距離が大きい場合には、ますます電波の出力を上げなければ、通信できなくなるため、結果として上記記載のように、電波環境をさらに悪化させる事態が発生する。
【００１０】
例えば、ディジタルコードレスシステム５０１では、電波環境が悪化している場合に、上述したように、他の機器の干渉を避け、通信の安定を図るために、更なる電波出力レベルを上げる。すると他機器も同様に、各システムの電波出力レベルを上げる。このような動作を各端末もしくはシステムの限界値まで繰り返し、結果として、全体の通信システムが安定した電波環境を得られない状態となる。
【００１１】
また、ディジタルコードレスシステム５０１では、子機のバッテリーが消費され、通話時間が短くなってしまう問題点がある。
【００１２】
今後、多くの無線通信システム、モバイル端末が出てくる中で、干渉による電波環境の悪化への対応、また、自端末の消費電力の低減は避けては通れない課題となっている。
【００１３】
本発明は、このような事情に鑑みて提案されたものであって、ほとんどの電子機器が接続する電力線に注目し、Ｐｏｗｅｒ  Ｌｉｎｅ  Ｃｏｍｍｕｎｉｃａｔｉｏｎ（以後ＰＬＣと記述）を使用して、各無線システムの電波使用状況を共有し、電波の出力レベルの制御、端末自体の制御を行うことで、各無線システムへの干渉を低減し、電波環境を良好に保ち、かつ自システムに属する端末の余計な消費電力を抑えることができる電波干渉回避のための無線通信システムおよび電子機器を提供することを目的としている。
【課題を解決するための手段】
【００１４】
上記課題を解決するために、本発明に係る無線通信システムおよび電子機器は、以下の特徴を備えている。
【００１５】
本発明に係る無線通信システムは、電波を送受信するための無線通信部を有する複数個の電子機器を有する１つ以上からなるサブ無線通信システムと、周辺に電波を放射するのみの１つ以上の電子機器と、を備え、前記電波の周波数が近接しており、前記サブ無線通信システムが近隣に配置されている無線通信システムであって、前記複数個の電子機器のうち、少なくとも１つの電子機器及び／又は前記電波を放射するのみの１つ以上の電子機器のうち、少なくとも１つの電子機器は、電力線を介して、通信するＰＬＣ通信部を備え、該ＰＬＣ通信部を介して、他の前記少なくとも１つの電子機器に対して、電波出力制御を実行させるための情報を伝達し、該情報に基づいて、該電子機器が電波の出力レベルを下げる制御を行い、システム全体の電波干渉を軽減するようしたことを特徴とする。
【００１６】
本発明に係る無線通信システムは、前記サブ無線通信システムに含まれる前記電子機器が電波の出力レベルを下げる制御を行うことにより、自システムの電波干渉を改善するとともに、前記電子機器の消費電力を少なくすることを特徴とする。
【００１７】
本発明に係る電子機器は、電波を送受信するための無線通信部を有する複数個の電子機器を有する１つ以上からなるサブ無線通信システムと、周辺に電波を放射するのみの１つ以上の電子機器と、を備えた無線通信システムにおける電子機器であって、有線通信回線と接続し通信を行う有線通信部と、前記有線通信部及び自身の通信状況確認を行う制御部と、電力線を介して、電波出力制御を実行させるための情報を送受信するＰＬＣ通信部と、を備え、前記制御部は、自身の動作を開始する場合に、自身の通信状況の確認を行い、前記ＰＬＣ通信部に対して、前記情報を送信し、自身が動作中である場合に、他の前記電子機器から、前記ＰＬＣ通信部を介して前記情報を受信し、該情報に基づき、前記無線通信部に対して電波出力の制御または自身の動作停止を行うようにしたことを特徴とする。
【００１８】
本発明に係る電子機器において、前記電子機器は、さらに、自身に関する電波出力制御のための情報を記憶するメモリー部と、前記ＰＬＣ通信部を介して受信した前記情報と前記を比較する比較部と、を備え、前記情報が、他の前記電子機器に対して、電波制御を実行させる際の優先順位を定める情報であった場合、前記比較部により、比較した結果、前記メモリーに記憶された電力出力制御のための前記情報が、前記受信した前記情報よりも順位が高い場合には、電波の出力の制御を実行せず、前記受信した情報よりも順位が低い場合には、電波の出力の制御を行うようにしたことを特徴とする。
【００１９】
また、本発明に係る電子機器は、前記受信した前記情報よりも順位が低い場合に、電波の出力の制御を行う場合に、電波の出力レベルを下げることで、他システムへの干渉を軽減させることを特徴とする。
【００２０】
また、本発明に係る電子機器は、前記受信した前記情報よりも順位が低い場合に、電波の出力の制御を行う場合に、通信中の通信を中断し、待機状態に移行させることで、他システムへの干渉を軽減させることを特徴とする。
【００２１】
また、本発明に係る電子機器は、前記受信した前記情報よりも順位が低い場合には、電波の出力の制御を行う場合に、電波を発生を停止させることで、他システムへの干渉を軽減させることを特徴とする。
【００２２】
また、本発明に係る電子機器は、前記ＰＬＣ通信部は、通信の開始又は運用の開始を行うときに、前記優先順位の情報を送信すること特徴とする。
【００２３】
また、本発明に係る電子機器は、前記ＰＬＣ通信部は、前記優先順位を設定した時点で、該優先順位の情報を送信することを特徴とする。
【００２４】
また、本発明に係る電子機器は、前記電子機器は、さらに、ユーザインタフェース部を備え、前記優先順位の情報を前記ユーザインタフェース部から入力し、前記メモリー部に記憶することを特徴とする。
【発明の効果】
【００２５】
本発明に係る無線通信システム及び電子機器によると、ＰＬＣ通信を用いて、各無線端末である電子機器及び電波を発生する電子機器が、使用開始の通知を受信した場合、動作状況に応じて、電波の出力レベルを抑えたり、停止したりすることによって、他のシステムに対して電波の干渉波を低減させて、通信システムの通信安定を図ることができる。
【００２６】
また、電波の出力レベルを抑えたり、停止したりすることによって、通信中の電子機器の消費電力を低減させることができる。
【発明を実施するための最良の形態】
【００２７】
以下、本発明に係る電波干渉回避のための無線通信システムおよび電子機器の実施形態について添付図面を参照して説明する。
【００２８】
図１は、ＰＬＣを使用し、各システムの制御を行うことで電波環境を良好に保つことができることを示した本発明に係る電波干渉回避のための無線通信システムの基本概念図である。
【００２９】
まず、図１を用いて、本発明に係る電波干渉回避のための無線通信システムの基本概念について説明する。
【００３０】
ユーザがディジタルコードレスシステム１００を使用し通話を開始した場合、ディジタルコードレス親機１００ａは、自システムが通信開始または通信中であることをＰＬＣを使用し、他システムに通知する。
【００３１】
通知を受けた無線ＬＡＮシステム１０１において、待機中であった場合は、無線ＬＡＮＮのアクセスポイントであるＷＬＡＮ１０１ａは、リンクが維持できる程度まで電波の出力レベルを抑える制御を行い、また通信中であった場合は、電波出力レベルを小さくする旨をラップトップＰＣ１０１ｂに伝え、近距離での通信をユーザに促すか、通信を中断し待機中とするか、または状況によらず、通信を完全に停止してしまう等の処理を行う。
【００３２】
また、通知を受けたＢｌｕｅｔｏｏｔｈシステム１０２では、待機中であれば自システムを低消費電力モード（ホールドモードもしくはスニフモード）に移行し、無線ＬＡＮシステム１０１と同様に、リンクが維持できる程度まで電波の出力レベルを抑える。通信中であった場合も無線ＬＡＮシステム１０１と同様の処理を行う。
【００３３】
さらに、電子レンジ１０３は、調理中であった場合は、調理を中断する。
【００３４】
このように、１つのシステムが通信を開始または通信中において、電波干渉状況の変化により、通信が不安定となる場合、ＰＬＣを使用して、他のシステムに電波の出力レベルを小さくするように通知することによって、通信システムの全体が通信不安定となることを回避することができる。
【００３５】
次に、上述した本発明に係る電波干渉回避のための無線通信システムの基本概念に基づき、各システムを構成するＰＬＣ対応の電子機器およびシステムとの連係動作を詳細に説明する。
【００３６】
まず、各システム共通のＰＬＣ対応の電子機器の基本構成について説明する。
【００３７】
図２は、ＰＬＣ対応の電子機器の基本構成図を示すブロック図である。
【００３８】
ＰＬＣ対応の電子機器２００は、インターネット、電話回線等の有線通信を行い、回線との物理的な接続を行う有線通信部２０１と、無線通信を行う無線通信部２０３と、無線端末の制御及び自身の通信状況確認等を行う制御部２０２と、ＰＬＣ通信を行うＰＬＣ通信部２０４と、端末の電力供給及び電力線との物理的な接続等を行う電源部２０６と、ユーザが設定した自システムの状態遷移にかかる時間、電波制御の優先順位及び他システムからの通知情報等を記憶できるメモリー部２０７と、優先順位を比較する比較部２０５と、ユーザによって優先順位等制御パラメータの入力操作等を行うユーザ・インタフェース部２０８と、を備えて構成される。
【００３９】
次に、図１及び図２を用いて、ＰＬＣ対応の電子機器の代表例として、ディジタルコードレス親機１００ａを上げ、この電子機器およびシステムの動作について、説明する。
【００４０】
ディジタルコードレスシステム１００に着信があったとする。着信は、日本では、局交換機より電話回線の電圧極性が反転することで、ディジタルコードレス親機１００ａに伝えられる。ディジタルコードレス親機１００ａの有線通信部２０１は、この極性反転を検出し、制御部２０２に着信があったことを伝える。有線通信部２０１より着信の旨を伝えられた制御部２０２では、無線通信部２０３を介し、子機１００ｂにその旨を伝えるともに、ＰＬＣ通信部３０３にも、無線通信が開始されることを通知する。
【００４１】
一方、他のシステムに対して、通信開始を伝えられたＰＬＣ通信部３０３は、電力線に通信が開始されたことを通知する通知データを流す。
【００４２】
電力線に接続された、無線ＬＡＮシステム１０１の無線ＬＡＮアクセスポイント（ＷＬＡＮ）１０１ａ及びＢｌｕｅｔｏｏｔｈシステム１０２のデスクトップＰＣ１０２ｂは、同様に、通信開始の通知を受けた各システムのＰＬＣ通信部２０４は、通知データを受信し、通信が開始された旨を制御部２０２に伝える。
【００４３】
制御部２０２は、自端末の無線通信部２０３及び有線通信部２０１の動作状況を確認し、システムが待機中であった場合は、無線通信部２０３に電波の出力レベルを低くするよう通知し、前述したように、リンクが維持できる程度まで電波の出力レベルを抑える制御を行う。
【００４４】
また、通信中であった場合は、制御部２０２は、無線通信部２０３に対して、電波の出力レベルを低くするよう通知する。通知を受けた無線通信部２０３は、自システムの通信端末であるラップトップＰＣ１０１ｂ、ＰＤＡ１０２ａに対して、電波の出力レベルを低くする旨を伝えるとともに出力レベルを抑える。
【００４５】
電波出力レベルの低下通知を受けたラップトップＰＣ１０１ｂ、ＰＤＡ１０２ａは、ＬＣＤ、ＬＥＤなどの表示装置を用いて、電波出力レベルが低下する旨のメッセージを表示して、「通信相手端末の近くに移動するよう」にユーザに促す。
【００４６】
または、制御部２０２は、無線通信部２０３に通信中断の旨を伝え、上記と同様に、無線通信部２０３は、自システムの通信端末であるラップトップＰＣ１０１ｂ、ＰＤＡ１０２ａに対して、通信を中断する旨を伝えると同時に待機状態に移行する。通信中断を受けたラップトップＰＣ１０１ｂ、ＰＤＡ１０２ａは、ＬＣＤ、ＬＥＤなどの表示装置を使い、ユーザに通信を中断する旨のメッセージを表示し、待機状態になることをユーザに伝える。
【００４７】
または、制御部２０２は、上記の待機中もしくは通信中の状況によらず、無線通信部に電波を出力することを停止する旨を伝え、無線通信自体を強制的にとめてしまう。
【００４８】
以上説明したように、ディジタルコードレスシステム１００の電波環境を良好とすることができ、通信が安定し、通話途切れ、ノイズが発生せず、また、親機１００ａ、子機１００ｂともに消費電力を低く抑えることができる。
【００４９】
この時、無線通信部２０３より、自システムの通信端末であるラップトップＰＣ１０１ｂ、ＰＤＡ１０２ａに対して、電波出力レベルの低下通知、通信中断通知をしてから、実際に出力レベルを低くする、又は通信中断するまでの時間をユーザが、ユーザインタフェース部３０６を介して、メモリー部３０５に設定することによって、制御部３０１は、一定時間空けることで、ユーザは近距離に移動したり、通信中断前に相手にその旨を伝えたりすることができる。
【００５０】
次に、各システムにおける通信または動作の優先順位の設定及び動作機能について説明する。
【００５１】
上記通信又は動作の優先順位とは、任意のシステムが、ＰＬＣを介して、電波干渉防止の通知を他のシステムに発行した場合、この通知を受信したシステムが、通知発行システムに対して、電波出力レベル低下等の電波干渉の対応処理を実行すべきかどうかの判定順位をいい、優先順位が高い場合には、電波干渉の対応処理は実行せず、優先順位が低い場合には、電波干渉の程度に対応じた処理を実行するという機能を持たせるものである。
【００５２】
上記通信または動作等の優先順位の情報は、メモリー部２０７に記録される。上記通信または動作等の優先順位として、例えば、電子レンジ１０３の優先順位が一番高く、ディジタルコードレスシステム１００が２番目、無線ＬＡＮシステム１０１が３番目、Ｂｌｕｅｔｏｏｔｈシステム１０２が４番目に設定する。
【００５３】
上記のように設定された優先順位の情報は、制御部２０２が通信開始を伝えるデータの中に含め、上記のようにディジタルコードレスシステム１００に着信があり、ＰＬＣにて各端末にディジタルコードレスシステム１００の通信開始の通知がきても、優先順位１番の電子レンジ１０３は、制御部２０２が、メモリー部２０７に記録されている優先順位と通信開始の通知データに含まれる優先順位２番目という情報を抜き出し、比較部２０５が、自分に設定された優先順位と比較することで、通知を無視し、調理を中止させない。
【００５４】
また、優先順位が３番目の無線ＬＡＮシステム１０１は、同様に優先順位情報を抜き出し、比較し、出力レベルの低下までしか行わず、４番目のＢｌｕｅｔｏｏｔｈシステムは、同様に優先順位情報を抜き出し、比較し、電波停止まで行うといったことが可能となる。
【００５５】
優先順位の情報提供方法は、上記のように通信開始通知の中に含める方法以外に、優先順位を設定した時点で、ＰＬＣを使用し、情報を共有する各システムの端末に、優先順位を通知し、通知を受けた各システムの端末は、自身の所有するメモリー部にその情報を記憶する方法、さらに優先順位ごとに定められた動作を実行する通知を送信する方法であってもよい。
【００５６】
ここでの特徴は、ユーザが設定するのは、その機器自体の優先順位情報１つであり、他システムの機器の順位は設定する必要がないことである。
【００５７】
前述したように、一般家庭においては、存在する通信システムの数は異なり、後からシステムが追加される可能性がある。システムを追加する度に、追加されたシステムの優先順位を既存システムに手動で追加することは手間であり、上記のような通知を行うことで、自動化を図る。
【００５８】
また、システムの配置によって、影響を及ぼさないシステムもあり、ＰＬＣによる電波干渉を低減する制御を行う必要性がない場合や制御することにより、逆に不具合が生じる場合がある。これを防ぐため、各ユーザがシステムの配置や使い勝手によって、適切な優先順位を設定することで、期待する効果を得ることができる。
【００５９】
以下に、本発明に係る無線通信システムにおいて、無線機器のローミングを行う場合の実施例について説明する。
【００６０】
図３は、無線機器のローミングを行う場合のシステムブロック図である。
【００６１】
一般的なローミングの場合、無線システム３００、無線システム３０１及び無線システム３０２の電波は常に一定の出力レベルにあり、基本的に子機がそれぞれのエリアにて、一番電波強度の強い無線システムの親機との通信を確立していくことで、ローミングを行っている。
【００６２】
上記の例では、最初に無線システム親機３００ａの無線システム子機３００ｂは、無線システム親機３００ａの電波強度が一番強いため、無線システム親機３００ａと通信を確立している。次に子機３００ｂが無線システム３０１のエリアに移動し、無線システム親機３０１ａの電波強度が一番強いと判断した場合、子機３００ｂは、無線システム親機３０１ａと通信を確立し、無線システム親機３００ａとの通信を切断する。
【００６３】
さらに子機３００ｂが無線システム３０２のエリアに移動すると、同様の手順で無線システム親機３０２ａとの通信を確立する。
【００６４】
上述したように、この時、各無線システム親機の電波の出力レベルは一定であり、Ｂｌｕｅｔｏｏｔｈ通信のような各システムがランダムに同一周波数帯にて、周波数ホッピングを行うようなもの、もしくは近傍の周波数帯を使用するシステムが隣接しているような場合、各システム間で干渉を起こし、ローミングがスムーズにできないことが発生する場合がある。
【００６５】
そこで、上述と同様、図２に示したブロック構成を備える無線システム親機及び子機は、以下のような動作を行う。
【００６６】
無線システム子機３００ｂが無線システム３００のエリアにいる場合、無線システム親機３００ａは、無線システム親機３０１ａ及び３０２ａに対して、子機３００ｂとの通信を開始したことをＰＬＣを使用し通知する。
【００６７】
通知を受けた無線システム親機３０１ａ及び３０２ａは自システムの電波出力レベルを低くし、無線システム３００の無線通信への干渉を低減させる。隣接するシステムの干渉波が低減することで電波環境が改善し、無線システム３００における親機３００ａと子機３００ｂとの通信における電波の出力レベルも小さくすることができ、子機３００ｂの消費電力を低減させることができる。
【００６８】
ここで、子機３００ｂがエリアを移動すると、無線システム親機３００ａと子機３００ｂとの距離が離れるため、無線システム３００の電波の出力レベルは上がる。この時、無線システム親機３００の出力レベルが、最大値（閾値）を超えた場合、無線システム親機３００ａはＰＬＣを使用し、無線システム親機３０１ａ及び３０２ａに対して、通信が切れることを通知する通信切断予告通知を行う。すると、無線システム３０１及び３０２は、通常の待ちうけ状態に戻り、電波の出力レベルを一定の値に戻す。
【００６９】
子機３００ｂの移動先が無線システム３０１のエリアであった場合は、子機３００ｂは無線システム親機３０１ａの電波強度が一番強いと判断し、無線システム親機３０１ａとの通信を確立し、無線システム親機３００ａとの通信を切断する。
【００７０】
無線システム親機３０１ａは、上記同様に、ＰＬＣを使用し、他の無線システム親機に対して、通信が開始されたことを通知する。
【００７１】
この通知を受けた無線システム親機３００ａは、子機３００ｂとの通信切断を待って、自システムの電波の出力レベルを低くする。そして、無線システム親機３０２ａは、通信開始の通知を受けた時点で、自システムの出力レベルを低くする。
【００７２】
これにより、今度は、無線システム３０１の電波環境が改善され、同様に、親機３０１ａ、子機３００ｂともに消費電力を低減できる。子機３００ｂが無線システム３０２のエリアに移動した場合、同様に手順で、無線システム親機３０２ａと通信を確立し、他の無線システムは、出力レベルを下げ、無線システム３への干渉を低減させる。
【００７３】
この時、各無線システムの電波出力レベルの最大値（閾値）は、ユーザによって設定可能である。最大値を小さくすると、無線システム自体の消費電力は小さく抑えられるが、移動先が、隣接エリアの待ちうけ時の電波の届く範囲でない場合、元の通信も切れてしまう可能性がある。ユーザは設置する場所により、それぞれの無線システムの適切な最大値を設定することで、効率のよいローミング環境を実現できる。
【００７４】
また、上述と同様に、無線システムに優先順位を設定することも可能である。
【００７５】
図４は、各無線システムに複数の子機が接続された場合における無線機器のローミングを行う場合のシステムブロック図である。
【００７６】
例えば、無線システム４００エリアにて、子機４００ｂが通話中またはデータ通信中であり、その時、無線システム４０１のエリアにある子機４０１ｂが通信を開始した場合、通信システム親機４０１ａの優先順位が通信システム親機４００ａの優先順位より高く、無線システム親機４０２ａの優先順位が一番低いとする。
【００７７】
この場合、通信システム親機４０１ａは、通信システム親機４００ａの通信開始通知に含まれていた優先順位情報と自分の優先順位情報を比較し、無線システム４００が通信中であることを知りながら、ＰＬＣを使用して通信開始を通知する。
【００７８】
なお、子機４００ｂが無線システム４００から４０２に移動している際中は、無線システム親機４０１ａは、子機４０１ｂと通信を続行しているものとする。
【００７９】
無線システム親機４００ａは、通信開始通知のデータに含まれる優先順位情報と自分の優先順位情報を比較し、優先順位が自分より高いシステムからの通知であると判断し、上述と同様に、電波の出力レベルを低くする、もしくは通信を中断し待機状態に移行する。無線システム親機４０２ａも、上記と同様に通知を受けた時点で、自システムの出力レベルを低くする。
【００８０】
この時、無線システム親機４００ａが中断せず、電波の出力レベルを下げた状態にある場合に、子機４００ｂが、無線システム親機４００ａの出力レベルの最大値（閾値）を超え、無線システム４０１のエリアに移動した場合、無線システム親機４００ａは、ＰＬＣを使用して、通信切断予告通知を他の無線システム親機に通知する。
【００８１】
無線システム親機４０１ａは優先順位情報を抜き出し、自分の優先順位と比較し、優先順位の低いシステムからの通知であると判断し、自システムが状態（通信中）を維持する。無線システム親機４０２ａは、通信中ではないため、無線システム親機４００ａの通信切断予告通知を受信した時点で、待機状態に移行する。子機４００ｂが無線システム４０１の電波強度が一番強いと判断した場合は、上記と同様に、無線システム親機４０１ａと通信を確立し、無線システム親機４００ａとの通信を切断する。子機４００ｂとの通信を確立した無線システム親機４０１ａは、ＰＬＣを使い、通信開始通知を他の無線システム親機に通知する。無線システム親機４００ａ及び無線システム親機４０２ａは、通信開始通知を受けた時点では、現状の状態である待機状態を維持することとなる。
【００８２】
さらに、一度優先順位の一番高い無線システム４０１に入った子機４００ｂが、無線システム親機４０１ａの出力レベルの最大値（閾値）を超え、無線システム４０２のエリアに移動した場合、無線システム親機４０１ａは、ＰＬＣを使用し、まず、子機４００ｂとの通信切断予告通知を行うが、他システムである無線システム４００及び無線システム４０２は、無線システム親機４０１ａからの通信切断予告通知を受けこととなるが、既に待機状態となっており、この待機状態を維持する。
【００８３】
子機４００ｂが無線システム４０２の電波強度が一番強いと判断した場合、子機４００ｂは無線システム親機４０２ａとの通信を確立し、無線システム親機４０１ａとの通信を切断する。
【００８４】
無線システム親機４０２ａは、ＰＬＣを使用し、他の無線システム親機に通信開始通知を行う。無線システム親機４００ａ及び無線システム親機４０１ａは、通知に含まれる優先順位情報を自分の優先順位と比較し、自分より優先順位の低い無線システムからの通知であると判断し、現状を維持する。
【００８５】
一方、無線システム親機４０１ａは、現状を維持するとともに、自分が通信中であることを再度、通信開始通知を通知することとなる。
【００８６】
無線システム親機４００ａは、上記通信開始通知を受けると、現状の状態である待機状態を維持し、無線システム親機４０２ａは、子機４００ｂと通信を維持できるほどに電波の出力レベルを低くする、もしくは通信を中断し待機状態に移行する。
【００８７】
このように、各無線システムに複数の子機が接続された場合における無線機器のローミングを電波の干渉を受けることなく行うことが可能である。
【００８８】
尚、本発明に係る電波干渉回避のための無線通信システムおよび電子機器は、上記した実施形態に限定されるものではなく、本発明の要旨を逸脱しない範囲内において種々変更を加え得ることは勿論である。
【図面の簡単な説明】
【００８９】
【図１】ＰＬＣを使用し、各システムの制御を行うことで電波環境を良好に保つことができることを示した本発明に係る電波干渉回避のための無線通信システムの基本概念図である。
【図２】ＰＬＣ対応の電子機器の基本構成図を示すブロック図である。
【図３】無線機器のローミングを行う場合のシステムブロック図である。
【図４】各無線システムに複数の子機が接続された場合における無線機器のローミングを行う場合のシステムブロック図である。
【図５】現状の２．４ＧＨｚ帯域を使用した機器が存在した場合の各システムへの電波の影響を示した図である。
【符号の説明】
【００９０】
１００  ディジタルコードレスシステム
１００ａ  ディジタルコードレス親機
１００ｂ  ディジタルコードレス子機
１０１  無線ＬＡＮシステム
１０１ａ  無線ＬＡＮアクセスポイント
１０１ｂ  ラップトップＰＣ
１０２  Ｂｌｕｅｔｏｏｔｈシステム
１０２ａ  ＰＤＡ
１０２ａ  デスクトップＰＣ
１０３  電子レンジ
２００  ＰＬＣ対応の電子気機器
２０１  有線通信部
２０２  制御部
２０３  無線通信部
２０４  ＰＬＣ通信部
２０５  比較部
２０６  電源部
２０７  メモリー部
２０８  ユーザインターフェース部
３００、３０１、３０２  無線システム
３００ａ、３０１ａ、３０２ａ  無線システム親機
３００ｂ  無線システム子機
４００、４０１、４０２  無線システム
４００ａ、４０１ａ、４０２ａ  無線システム親機
４００ｂ、４０１ｂ  無線システム子機
５００、５０１、５０２  無線システム
５００ａ  ＷＬＡＮ
５００ｂ  ラップトップＰＣ
５０１ａ  ディジタルコードレス親機
５０１ｂ  ディジタルコードレス子機
５０２ａ  ＰＤＡ
５０２ｂ  デスクトップＰＣ
５０３  電子レンジ
【図１】
2007116258.tif 000003
【図２】
2007116258.tif 000004
【図３】
2007116258.tif 000005
【図４】
2007116258.tif 000006
【図５】
2007116258.tif 000007